(57)【要約】【課題】音質の向上と小型化とを両立できる新規な構成の電子機器およびスピーカ装置を得る。【解決手段】スピーカ装置９は、ベース筐体２（筐体）の開口部２ｓに臨んだコーン９１ａ（振動板）と、コーン９１ａとＺ方向（第一方向）に並びコーン９１ａを振動させる駆動部９１ｂと、を有したスピーカユニット９１と、コーン９１ａが露出した底壁９２ａ１（第二壁部）および当該底壁９２ａ１のＺ方向に離間して位置された天壁９２ａ２（第三壁部）を含みコーン９１ａの少なくとも一部を収容したベース部９２ａと、ベース部９２ａからＺ方向に部分的に突出し駆動部９１ｂの少なくとも一部を収容した突出部９２ｂと、を有したエンクロージャ９２と、を有する。【選択図】図７
2020053947.tif 000002
【特許請求の範囲】
【請求項１】
第一開口部が設けられた第一壁部を有した筐体と、
前記筐体に収容され、前記第一壁部と交差した第一方向に前記第一開口部と並んだスピーカ装置と、
を備え、
前記スピーカ装置は、
前記第一開口部に臨んだ振動板と、前記振動板と前記第一方向に並び当該振動板を振動させる駆動部と、を有したスピーカユニットと、
前記振動板が露出した第二壁部および当該第二壁部の前記第一方向に離間して位置された第三壁部を含み前記振動板の少なくとも一部を収容したベース部と、前記ベース部から前記第一方向に部分的に突出し前記駆動部の少なくとも一部を収容した突出部と、を有したエンクロージャと、
を有した、電子機器。
【請求項２】
前記ベース部は、前記第一方向と交差した第二方向に延びており、
前記突出部の前記第二方向かつ前記ベース部の前記第一方向に並んだ電子機器ユニットを備えた、請求項１に記載の電子機器。
【請求項３】
前記電子機器ユニットと前記第二方向の反対方向に並んだ基板を備え、
前記基板には、前記突出部が前記第一方向に貫通する第二開口部が設けられた、請求項２に記載の電子機器。
【請求項４】
前記筐体は、前記ベース部と前記基板または前記電子機器ユニットとを前記第一方向に仕切る第四壁部を有し、
前記第四壁部には、前記突出部が前記第一方向に貫通する第三開口部が設けられた、請求項２または３に記載の電子機器。
【請求項５】
振動板と、前記振動板と第一方向に並び当該振動板を振動させる駆動部と、を有したスピーカユニットと、
前記振動板が露出した第二壁部および当該第二壁部の前記第一方向に離間して位置された第三壁部を含み前記振動板の少なくとも一部を収容したベース部と、前記ベース部から前記第一方向に部分的に突出し前記駆動部の少なくとも一部を収容した突出部と、を有したエンクロージャと、
を有した、スピーカ装置。 
【発明の詳細な説明】
【技術分野】
【０００１】
本発明は、電子機器およびスピーカ装置に関する。
【背景技術】
【０００２】
従来、振動板および振動板を振動させる駆動部を有したスピーカユニットと、スピーカユニットを収容したエンクロージャと、を有したスピーカ装置が、知られている（例えば、特許文献１参照）。
【先行技術文献】
【特許文献】
【０００３】
【特許文献１】特開２０１８−３７８４１号公報
【発明の概要】
【発明が解決しようとする課題】
【０００４】
この種の構造では、例えば、音質の向上と小型化とを両立できる新規な構成が得られれば、有益である。
【０００５】
そこで、本発明の課題の一つは、音質の向上と小型化とを両立できる新規な構成の電子機器およびスピーカ装置を得ることである。
【課題を解決するための手段】
【０００６】
本発明の第１態様にかかる電子機器は、第一開口部が設けられた第一壁部を有した筐体と、前記筐体に収容され、前記第一壁部と交差した第一方向に前記第一開口部と並んだスピーカ装置と、を備え、前記スピーカ装置は、前記第一開口部に臨んだ振動板と、前記振動板と前記第一方向に並び当該振動板を振動させる駆動部と、を有したスピーカユニットと、前記振動板が露出した第二壁部および当該第二壁部の前記第一方向に離間して位置された第三壁部を含み前記振動板の少なくとも一部を収容したベース部と、前記ベース部から前記第一方向に部分的に突出し前記駆動部の少なくとも一部を収容した突出部と、を有したエンクロージャと、を有する。
【０００７】
このような構成によれば、例えば、突出部が設けられない場合と比べて、エンクロージャの容積をより大きく確保できるとともに、エンクロージャにより大きなスピーカユニットを搭載することができる。また、突出部がベース部から部分的に突出しているため、例えば、突出部の周囲のスペースに電子機器の他の部品を配置することができる。よって、例えば、スピーカ装置における低音の再生能力ひいては音質の向上と筐体の第一方向の小型化とを両立できる電子機器が得られやすい。
【０００８】
また、前記ベース部は、前記第一方向と交差した第二方向に延びており、前記突出部の前記第二方向かつ前記ベース部の前記第一方向に並んだ電子機器ユニットを備える。このような構成によれば、例えば、ベース部によってエンクロージャの容積をより一層大きく確保できるとともに、突出部の第二方向かつベース部の第一方向のスペースを利用して電子機器ユニットを配置することができる。
【０００９】
また、前記電子機器ユニットと前記第二方向の反対方向に並んだ基板を備え、前記基板には、前記突出部が前記第一方向に貫通する第二開口部が設けられる。このような構成によれば、例えば、第二開口部を利用して、突出部の周囲に電子機器ユニットと第二方向の反対方向に並んで基板を配置することができる。
【００１０】
また、前記筐体は、前記ベース部と前記基板または前記電子機器ユニットとを前記第一方向に仕切る第四壁部を有し、前記第四壁部には、前記突出部が前記第一方向に貫通する第三開口部が設けられる。このような構成によれば、例えば、第三開口部を利用して、突出部の周囲にベース部と基板または電子機器ユニットとを第一方向に仕切る第四壁部を配置することができる。
【００１１】
また、本発明の第２態様にかかるスピーカ装置は、振動板と、前記振動板と第一方向に並び当該振動板を振動させる駆動部と、を有したスピーカユニットと、前記振動板が露出した第二壁部および当該第二壁部の前記第一方向に離間して位置された第三壁部を含み前記振動板の少なくとも一部を収容したベース部と、前記ベース部から前記第一方向に部分的に突出し前記駆動部の少なくとも一部を収容した突出部と、を有したエンクロージャと、を有する。このような構成によれば、例えば、前記第１態様にかかる電子機器と略同様の作用効果を得ることができる。
【発明の効果】
【００１２】
本発明の上記態様によれば、音質の向上と小型化とを両立できる新規な構成の電子機器およびスピーカ装置を得ることができる。
【図面の簡単な説明】
【００１３】
【図１】図１は、実施形態の電子機器の正面側からの例示的な斜視図である。
【図２】図２は、実施形態の電子機器の背面側からの例示的な斜視図である。
【図３】図３は、実施形態の電子機器のベース筐体の背面側からの例示的な分解斜視図である。
【図４】図４は、実施形態のベース筐体の正面側からの例示的な斜視図であって、フロントカバー、リヤカバー、およびトップカバーが取り外された状態の図である。
【図５】図５は、図４の分解斜視図である。
【図６】図６は、実施形態の電子機器のスピーカ装置の例示的な斜視図である。
【図７】図７は、図４の突出部近傍のＹＺ断面図である。
【発明を実施するための形態】
【００１４】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１５】
なお、本明細書では、序数は、部品や、部材、部位、位置、方向等を区別するためだけに用いられており、順番や優先度を示すものではない。
【００１６】
［実施形態］
図１は、電子機器１の正面側からの斜視図であり、図２は、電子機器１の背面側からの斜視図である。なお、以下の各図では、便宜上、互いに直交する三方向が定義されている。Ｘ方向は、電子機器１の奥行方向（前後方向）に沿い、Ｙ方向は、電子機器１の幅方向（左右方向、長手方向）に沿い、Ｚ方向は、電子機器１の高さ方向（上下方向）に沿う。Ｚ方向は、第一方向の一例であり、Ｙ方向は、第二方向の一例である。また、以下の説明では、Ｘ方向は前方、Ｘ方向の反対方向は後方とも称され、Ｙ方向は右方、Ｙ方向の反対方向は左方とも称され、Ｚ方向は上方、Ｚ方向の反対方向は下方とも称される。
【００１７】
図１，２に示されるように、電子機器１は、例えば、オールインワン（ＡＩＯ）タイプのデスクトップ型のパーソナルコンピュータとして構成されており、ベース筐体２と、ディスプレイ筐体３と、を備えている。ディスプレイ筐体３には、ディスプレイユニット６が収容され、ベース筐体２には、電子機器ユニット４のＯＤＤ（optical  disk  drive）装置７や、基板５（図３参照）、後述するスピーカ装置９等が収容されている。ベース筐体２は、筐体の一例である。なお、電子機器１は、この例には限定されず、例えば、クラムシェル型（ノートブック型）のパーソナルコンピュータや、映像表示装置、テレビジョン受像機、ゲーム機、映像表示制御装置、情報記憶装置等、スピーカ装置９を備えた種々の電子機器１として構成することができる。
【００１８】
図１，２に示されるように、ディスプレイ筐体３は、ベース筐体２の天壁２ｂに支持されている。ディスプレイ筐体３は、例えば、ディスプレイユニット６の表示画面６ａが露出する前壁３ａと、表示画面６ａとは反対側に位置された後壁３ｂと、を有する。ディスプレイユニット６は、表示画面６ａが前方（Ｘ方向）から視認可能な状態に、ディスプレイ筐体３に支持されている。ディスプレイ筐体３とベース筐体２とは、不図示のケーブル等の配線部材を介して、互いに電気的に接続されている。
【００１９】
ベース筐体２は、例えば、底壁２ａや、天壁２ｂ、前壁２ｃ、左壁２ｄ、後壁２ｅ、右壁２ｆ、斜壁２ｇ等の複数の壁部を有している。底壁２ａおよび天壁２ｂは、いずれも、Ｚ方向と直交する方向（ＸＹ平面）に沿って延びており、Ｚ方向に間隔をあけて互いに平行に設けられている。底壁２ａには、ベース筐体２を不図示の机や、台、棚等の載置部から離間した状態に支持する複数の支持部２ｖが設けられている。天壁２ｂには、上述したケーブル等の配線部材が収容されるとともに、ベース筐体２とディスプレイ筐体３とを機械的に接続可能な接続部２ｗ（図２参照）が設けられている。
【００２０】
左壁２ｄおよび右壁２ｆは、いずれも、Ｙ方向と直交する方向（ＸＺ平面）に沿って延びており、Ｙ方向に間隔をあけて互いに平行に設けられている。また、前壁２ｃおよび後壁２ｅは、いずれも、Ｘ方向と直交する方向（ＹＺ平面）に沿って延びており、Ｘ方向に間隔をあけて互いに平行に設けられている。前壁２ｃには、電子機器ユニット４が着脱可能に収容される収容部２ｒの開方端２ｒ１が設けられている。なお、前壁２ｃには、電源ボタン等の操作部や、ＵＳＢ（universal  serial  bus）コネクタ、各種の表示ランプ等も設けられている。
【００２１】
斜壁２ｇは、左壁２ｄと後壁２ｅとの間、および右壁２ｆと後壁２ｅとの間のそれぞれに設けられている。本実施形態では、後壁２ｅのＹ方向に沿った長さは、前壁２ｃのＹ方向に沿った長さ、すなわち左壁２ｄと右壁２ｆとの間隔よりも短く設定されている。そして、斜壁２ｇのうち一方により左壁２ｄの後端と後壁２ｅの左端とが接続され、他方により右壁２ｆの後端と後壁２ｅの右端とが接続されている。これにより、ベース筐体２内の無駄なスペースが排除され、小型化が図られている。前壁２ｃ、後壁２ｅ、左壁２ｄ、右壁２ｆ、および斜壁２ｇは、側壁や周壁等とも称される。
【００２２】
図３は、ベース筐体２の背面側からの分解斜視図である。図３に示されるように、電子機器ユニット４は、例えば、ＯＤＤ装置７と、ＯＤＤ装置７をベース筐体２に固定するブラケット８と、を有している。ＯＤＤ装置７は、ユニット本体の一例である。ＯＤＤ装置７は、補助記憶装置や、外部記憶装置等とも称される。なお、ユニット本体は、この例には限定されず、例えば、ＨＤＤ（hard  disk  drive）装置や、ファン装置、電源装置等であってもよい。
【００２３】
基板５は、電子機器ユニット４の左方（Ｙ方向の反対方向）に並んで位置されている。基板５の上面には、ＣＰＵ（central  processing  unit）等の複数の電子部品が実装されている。基板５内の配線とこれら複数の電子部品とによって、電子機器１の制御回路の少なくとも一部が構成されている。
【００２４】
図４は、ベース筐体２の正面側からの斜視図であって、フロントカバー２２、リヤカバー２３、およびトップカバー２４が取り外された状態の図である。図５は、図４の分解斜視図である。図３〜５に示されるように、ベース筐体２は、複数の部品（分割体）が組み合わせられて構成されている。
【００２５】
具体的には、ベース筐体２は、例えば、ケース２１（図４参照）や、フロントカバー２２（図１，３参照）、リヤカバー２３（図３参照）、トップカバー２４（図３参照）、トレイ２５（図５参照）、接続カバー２６（図２参照）等を有している。接続カバー２６は、少なくとも接続部２ｗの一部を有している。接続カバー２６は、上述したケーブル等の配線部材を後方から覆っている。
【００２６】
図４に示されるように、ケース２１は、少なくとも、底壁２ａと、左壁２ｄと、右壁２ｆと、斜壁２ｇと、後壁２ｅの一部である内側部分２ｅ１と、を有している。図５にも示されるように、内側部分２ｅ１のＸ方向に沿った厚さは、斜壁２ｇの端部におけるＸ方向に沿った厚さよりも薄い。言い換えると、斜壁２ｇと内側部分２ｅ１との間には、前方（Ｘ方向）に凹み、後方に開放された凹部（段差）が設けられている。
【００２７】
図３に示されるように、リヤカバー２３は、少なくとも後壁２ｅの一部である外側部分２ｅ２を有している。外側部分２ｅ２のＸ方向に沿った厚さは、上述した凹部（段差）のＸ方向に沿った深さと略同じである。リヤカバー２３は、ケース２１の凹部（段差）を塞いだ状態で、ケース２１と一体化される。
【００２８】
また、フロントカバー２２は、少なくとも前壁２ｃを有し、トップカバー２４は、少なくとも、天壁２ｂと、接続部２ｗの一部と、を有している。ケース２１、フロントカバー２２、リヤカバー２３、トップカバー２４、トレイ２５、および接続カバー２６（図２参照）は、例えば、結合具や、溶接、接着剤等によって互いに結合されている。
【００２９】
図４，５に示されるように、トレイ２５は、例えば、底壁２５ａや、左壁２５ｂ、右壁２５ｃ、中壁２５ｄ、後壁２５ｅ等の複数の壁部を有している。底壁２５ａは、ベース筐体２の底壁２ａと天壁２ｂとの間に位置され、前壁２ｃと後壁２ｅとの間に亘っている。底壁２５ａは、底壁２ａおよび天壁２ｂと平行である。底壁２５ａは、ベース筐体２内をＺ方向に複数の空間（収容部）に仕切っている。
【００３０】
本実施形態では、底壁２５ａよりも下方の空間には、後述するスピーカ装置９のエンクロージャ９２の一部であるベース部９２ａ（図５参照）等が収容されている。また、底壁２５ａよりも上方の空間には、エンクロージャ９２の一部である突出部９２ｂや、基板５、電子機器ユニット４等が収容されている。底壁２５ａは、仕切壁や、隔壁、棚壁等とも称される。
【００３１】
後壁２５ｅは、底壁２５ａの後端から上方（Ｚ方向）に突出している。後壁２５ｅは、ベース筐体２の後壁２ｅと平行である。後壁２５ｅは、ベース筐体２の内側で後壁２ｅの内側部分２ｅ１と重ねられている。言い換えると、後壁２５ｅは、後壁２ｅの一部を構成している。なお、後壁２５ｅには、ブラケット８の変形を抑制する突出壁２５ｆ等が設けられている。
【００３２】
左壁２５ｂは、底壁２５ａの左端から上方に突出している。左壁２５ｂは、ベース筐体２の左壁２ｄと平行である。左壁２５ｂは、左壁２ｄと中壁２５ｄとの間に位置され、底壁２５ａと天壁２ｂとの間に亘っている。左壁２５ｂは、ベース筐体２内を上述した基板５側の空間と基板５とは反対側の空間とにＹ方向に仕切っている。
【００３３】
右壁２５ｃは、底壁２５ａの右端から上方に突出している。右壁２５ｃは、ベース筐体２の右壁２ｆと平行である。右壁２５ｃは、右壁２ｆと中壁２５ｄとの間に位置され、底壁２５ａと天壁２ｂとの間に亘っている。右壁２５ｃは、ベース筐体２内を上述した電子機器ユニット４側の空間としての収容部２ｒと電子機器ユニット４とは反対側の空間とにＹ方向に仕切っている。
【００３４】
中壁２５ｄは、底壁２５ａのＹ方向の略中央部から上方に突出している。中壁２５ｄは、左壁２５ｂおよび右壁２５ｃと平行である。中壁２５ｄは、左壁２５ｂと右壁２５ｃとの間に位置され、底壁２５ａと天壁２ｂとの間に亘っている。中壁２５ｄは、ベース筐体２内を上述した基板５側の空間と電子機器ユニット４側の収容部２ｒとにＹ方向に仕切っている。
【００３５】
したがって、収容部２ｒは、トレイ２５の底壁２５ａや、中壁２５ｄ、右壁２５ｃ、後壁２５ｅ、ベース筐体２の後壁２ｅ、天壁２ｂ等によって囲まれ、前方（Ｘ方向）に向けて開放されている。また、収容部２ｒは、前壁２ｃ（図１参照）に設けられた開方端２ｒ１（開口部）と接続されている。左壁２５ｂ、右壁２５ｃ、および中壁２５ｄは、仕切壁や、隔壁等とも称される。なお、収容部２ｒには、電子機器ユニット４のコネクタと機械的かつ電気的に接続可能なコネクタ１１が設けられている。基板５と電子機器ユニット４とは、Ｙ方向に並んで位置されている。
【００３６】
次に、スピーカ装置９についてより詳しく説明する。図６は、スピーカ装置９の斜視図である。図７は、図４の突出部９２ｂ近傍のＹＺ断面図である。スピーカ装置９は、例えば、スピーカユニット９１（図７参照）と、エンクロージャ９２（図６参照）と、を有している。
【００３７】
図７に示されるように、スピーカユニット９１は、例えば、コーン９１ａと、駆動部９１ｂと、を有する。コーン９１ａは、ケース２１の底壁２ａに設けられた開口部２ｓに臨んでいる。コーン９１ａの直径は、開口部２ｓの直径と略同じである。コーン９１ａは、振動板の一例である。なお、振動板は、この例には限定されず、例えば、ダブルコーン型や、ドーム型、ホーン型等であってもよい。
【００３８】
また、開口部２ｓは、例えば、底壁２ａに設けられた複数の小孔２ｓ１が集まった部分として構成されている。小孔２ｓ１は、それぞれ、底壁２ａをＺ方向に貫通している。開口部２ｓは、開口領域や、放音口等とも称される。開口部２ｓは、第一開口部の一例であり、底壁２ａは、第一壁部の一例である。
【００３９】
駆動部９１ｂは、コーン９１ａの上方に並んで位置されている。駆動部９１ｂは、例えば、リング状のマグネットや、マグネットの中心に挿入されたボイスコイル等を含む、駆動部９１ｂは、音響信号に応じてコーン９１ａを機械的に振動させる。駆動部９１ｂは、電磁石部等とも称される。
【００４０】
図６に示されるように、エンクロージャ９２は、例えば、ベース部９２ａと、突出部９２ｂと、を有している。ベース部９２ａは、Ｚ方向に薄い直方体状の箱型に構成されている。ベース部９２ａは、底壁９２ａ１や、天壁９２ａ２、側壁９２ａ３、端壁９２ａ４等の複数の壁部を有している。
【００４１】
底壁９２ａ１および天壁９２ａ２は、いずれも、Ｚ方向と直交する方向（ＸＹ平面）に沿って延びており、Ｚ方向に間隔をあけて互いに平行に設けられている。底壁９２ａ１には、コーン９１ａ（図７参照）が下方に露出する開口部９３が設けられている。開口部９３は、開口部２ｓとＺ方向に並んでいる。底壁９２ａ１は、第二壁部の一例であり、天壁９２ａ２は、第三壁部の一例である。
【００４２】
一対の側壁９２ａ３（図６参照）は、いずれも、Ｘ方向と直交する方向（ＹＺ平面）に沿って延びており、Ｘ方向に間隔をあけて互いに平行に設けられている。また、一対の端壁９２ａ４は、いずれも、Ｙ方向と直交する方向（ＸＺ平面）に沿って延びており、Ｙ方向に間隔をあけて互いに平行に設けられている。側壁９２ａ３および端壁９２ａ４は、周壁等とも称される。
【００４３】
また、側壁９２ａ３および端壁９２ａ４には、それぞれ、切欠部９４が設けられている。切欠部９４は、例えば、Ｚ方向の視線では、ベース部９２ａの中心に向かって凹み、中心とは反対側に向けて開放された略Ｕ字状に構成されている。また、切欠部９４の上方は開放され、下方は底壁９２ａ１と面している。図６，７に示されるように、切欠部９４には、底壁９２ａ１とケース２１の底壁２ａとを結合するねじ等の結合具９５が収容されている。
【００４４】
突出部９２ｂは、天壁９２ａ２から上方に突出している。突出部９２ｂは、駆動部９１ｂ（マグネット）に沿った円筒状に構成されている。すなわち、突出部９２ｂは、天壁９２ａ２に部分的に設けられている。突出部９２ｂの直径は、開口部２ｓ（開口領域）の直径と略同じである。
【００４５】
そして、本実施形態では、突出部９２ｂには、スピーカユニット９１のうち駆動部９１ｂの少なくとも一部が収容され、ベース部９２ａには、コーン９１ａの少なくとも一部が収容されている。言い換えると、エンクロージャ９２には、突出部９２ｂによってベース部９２ａのＺ方向に沿った高さよりも大きなサイズのスピーカユニット９１が収納されている。
【００４６】
また、図６に示されるように、突出部９２ｂは、ベース部９２ａのＹ方向の中央部よりも左方にずれて位置されている。言い換えると、ベース部９２ａは、突出部９２ｂよりも右方（Ｙ方向）に延びている。これにより、エンクロージャ９２の容積、例えば突出部９２ｂの周囲の凹んだ分の容積が確保されている。
【００４７】
また、図５，７に示されるように、本実施形態では、トレイ２５の底壁２５ａには、突出部９２ｂがＺ方向に貫通する開口部２５ｇが設けられている。開口部２５ｇは、基板５が収容される左壁２５ｂと中壁２５ｄとの間の中心部に位置されている。開口部２５ｇは、第三開口部の一例であり、底壁２５ａは、第四壁部の一例である。
【００４８】
また、基板５には、突出部９２ｂがＺ方向に貫通する開口部５ａが設けられている。開口部５ａは、開口部２５ｇとＺ方向に並んでいる。開口部５ａは、基板５の中心部に設けられており、基板５の角部を切り欠いた切欠部５ｂと連通している。開口部５ａは、第二開口部の一例である。開口部２５ｇ，５ａは、逃げ穴等とも称される。
【００４９】
また、図５に示されるように、開口部２５ｇ，５ａは、突出部９２ｂの周囲に沿った円形状に構成されている。本実施形態では、例えば、開口部２５ｇ，５ａの縁部と突出部９２ｂとの当接によって、トレイ２５および基板５の、スピーカ装置９（ケース２１）に対するＸＹ平面への移動が制限されている。すなわち、開口部２５ｇ，５ａの縁部および突出部９２ｂは、位置決め部の一例である。
【００５０】
また、トレイ２５の下方には、ベース板金２７が設けられている。ベース板金２７は、底壁２ａから上方に突出し、ベース部９２ａの側壁９２ａ３および端壁９２ａ４（図６参照）に沿って延びている。ベース板金２７は、Ｚ方向の視線では、後方に向けて開放された略Ｕ字状に構成されている。
【００５１】
図４，５に示されるように、本実施形態では、スピーカ装置９がケース２１に取り付けられた状態では、ベース部９２ａは、ベース板金２７と、ケース２１の底壁２ａおよび後壁２ｅと、トレイ２５の底壁２５ａとによって囲まれた空間に収容されている。また、突出部９２ｂは、トレイ２５の底壁２５ａと、開口部２５ｇ，５ａの縁部と、トップカバー２４の天壁２ｂとによって囲まれた空間に収容されている。
【００５２】
以上のように、本実施形態では、スピーカ装置９は、ベース筐体２の開口部２ｓ（第一開口部）に臨んだコーン９１ａ（振動板）と、コーン９１ａとＺ方向（第一方向）に並びコーン９１ａを振動させる駆動部９１ｂと、を有したスピーカユニット９１と、コーン９１ａが露出した底壁９２ａ１（第二壁部）および当該底壁９２ａ１のＺ方向に離間して位置された天壁９２ａ２（第三壁部）を含みコーン９１ａの少なくとも一部を収容したベース部９２ａと、ベース部９２ａからＺ方向に部分的に突出し駆動部９１ｂの少なくとも一部を収容した突出部９２ｂと、を有したエンクロージャ９２と、を有する。
【００５３】
このような構成によれば、例えば、突出部９２ｂが設けられない場合と比べて、エンクロージャ９２の容積をより大きく確保できるとともに、エンクロージャ９２により大きなスピーカユニット９１を搭載することができる。また、突出部９２ｂがベース部９２ａから部分的に突出しているため、例えば、突出部９２ｂの周囲のスペースに電子機器１の他の部品を配置することができる。よって、例えば、スピーカ装置９における低音の再生能力ひいては音質の向上とベース筐体２のＺ方向の小型化とを両立できる電子機器１が得られやすい。
【００５４】
また、本実施形態では、ベース部９２ａは、Ｚ方向と交差したＹ方向（第二方向）に延びており、電子機器１は、突出部９２ｂのＹ方向かつベース部９２ａのＺ方向に並んだ電子機器ユニット４を備える。このような構成によれば、例えば、ベース部９２ａによってエンクロージャ９２の容積をより一層大きく確保できるとともに、突出部９２ｂのＹ方向かつベース部９２ａのＺ方向のスペースを利用して電子機器ユニット４を配置することができる。
【００５５】
また、本実施形態では、電子機器１は、電子機器ユニット４とＹ方向の反対方向に並んだ基板５を備え、基板５には、突出部９２ｂがＺ方向に貫通する開口部５ａ（第二開口部）が設けられている。このような構成によれば、例えば、開口部５ａを利用して、突出部９２ｂの周囲に電子機器ユニット４とＹ方向の反対方向に並んで基板５を配置することができる。
【００５６】
また、本実施形態では、ベース筐体２は、ベース部９２ａと基板５および電子機器ユニット４とをＺ方向に仕切る底壁２５ａ（第四壁部）を有し、底壁２５ａには、突出部９２ｂがＺ方向に貫通する開口部２５ｇ（第三開口部）が設けられている。このような構成によれば、例えば、開口部２５ｇを利用して、突出部９２ｂの周囲にベース部９２ａと基板５および電子機器ユニット４とをＺ方向に仕切る底壁２５ａを配置することができる。
【００５７】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【００５８】
例えば、第一開口部（放音口）は、ベース筐体の底壁には限定されず、ベース筐体の前壁や、天壁等に設けられてもよい。
【符号の説明】
【００５９】
１…電子機器、２…ベース筐体（筐体）、２ａ…底壁（第一壁部）、２ｓ…開口部（第一開口部）、４…電子機器ユニット、５…基板、５ａ…開口部（第二開口部）、９…スピーカ装置、２５ａ…底壁（第四壁部）、２５ｇ…開口部（第三開口部）、９１…スピーカユニット、９１ａ…コーン（振動板）、９１ｂ…駆動部、９２…エンクロージャ、９２ａ…ベース部、９２ａ１…底壁（第二壁部）、９２ａ２…天壁（第三壁部）、９２ｂ…突出部、Ｙ…第二方向、Ｚ…第一方向。
【図１】
2020053947.tif 000003
【図２】
2020053947.tif 000004
【図３】
2020053947.tif 000005
【図４】
2020053947.tif 000006
【図５】
2020053947.tif 000007
【図６】
2020053947.tif 000008
【図７】
2020053947.tif 000009
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
第一開口部が設けられた第一壁部を有した筐体と、
前記筐体に収容され、前記第一壁部と交差した第一方向に前記第一開口部と並んだスピーカ装置と、
を備え、
前記スピーカ装置は、
前記第一開口部に臨んだ振動板と、前記振動板と前記第一方向に並び当該振動板を振動させる駆動部と、を有したスピーカユニットと、
前記振動板が露出した第二壁部および当該第二壁部の前記第一方向に離間して位置された第三壁部を含み前記振動板の少なくとも一部を収容したベース部と、前記ベース部から前記第一方向に部分的に突出し前記駆動部の少なくとも一部を収容した突出部と、を有したエンクロージャと、
を有し、
前記ベース部は、前記第一方向と交差した第二方向に延びており、
前記突出部の前記第二方向かつ前記ベース部の前記第一方向に並んだ電子機器ユニットを備えた、電子機器。
【請求項２】
前記電子機器ユニットと前記第二方向の反対方向に並んだ基板を備え、
前記基板には、前記突出部が前記第一方向に貫通する第二開口部が設けられた、請求項１に記載の電子機器。
【請求項３】
前記筐体は、前記ベース部と前記基板または前記電子機器ユニットとを前記第一方向に仕切る第四壁部を有し、
前記第四壁部には、前記突出部が前記第一方向に貫通する第三開口部が設けられた、請求項２に記載の電子機器。
【手続補正３】
【補正対象書類名】明細書
【補正対象項目名】０００１
【補正方法】変更
【補正の内容】
【０００１】
本発明は、電子機器に関する。
【手続補正４】
【補正対象書類名】明細書
【補正対象項目名】０００５
【補正方法】変更
【補正の内容】
【０００５】
そこで、本発明の課題の一つは、音質の向上と小型化とを両立できる新規な構成の電子機器を得ることである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明の上記態様によれば、音質の向上と小型化とを両立できる新規な構成の電子機器を得ることができる。